(57)【特許請求の範囲】
【請求項１】
上面に切欠き部を有し本体ケースの底板上に設けられてプリント基板及び操作板が取付けられるリブと、前記切欠き部に対応して前記プリント基板及び操作板に設けたヒューズ取付部とを備え、
一端に前記リブの切欠き部の内側に配設される取付部を有し、該取付部の外側に前記リブの切欠き部に配設される幅狭部が形成され、ほぼコ字状に折曲げられて前記ヒューズ取付部の開口部を開閉する透明の合成樹脂板からなる保護カバーを設けたことを特徴とする火災報知用機器。
【発明の詳細な説明】
【０００１】
【発明の属する技術分野】
本発明は、火災報知用機器に係り、さらに詳しくは、同機器に設けられたヒューズの保護カバー及び予備ヒューズの保持部に関すものである。
【０００２】
【従来の技術】
例えば、火災受信機などの火災報知用機器には、電源ヒューズ及び表示灯用などのヒューズが設けられており、また、通常、複数本の予備ヒューズを備えていて、これら予備ヒューズは、筐体や扉などに設けた保持部に装着されている。
【０００３】
上記のヒューズのうち、電源ヒューズには、通常、感電防止のため保護カバーが設けられており、この種保護カバーの一例として実公昭５２−３９７２０号公報に記載された考案がある。この考案に係るヒューズの保護カバーは、絶縁材料からなり下方が開放されたほぼ箱状に形成されてその短辺側に一対の係止片を設けたもので、この保護カバーをプリント基板に取付けたヒューズクリップに装着したヒューズに被せ、ヒューズクリップの両側に設けた係止穴に係止片を係止させて取付けるようにしたものである。
【０００４】
また、予備ヒューズの保持部の一例として、実開昭５６−９９７５３号公報に記載された考案がある。この考案に係る筒状ヒューズの保持装置は、鞘状体にスリットを設けて弾性を付与し、筒状ヒューズを挿入するときに鞘状体を押し広げ、かつその復元力により筒状ヒューズを挾持するようにしたものである。
【０００５】
【発明が解決しようとする課題】
上記のようなヒューズの保護カバーは、ヒューズ交換の際に係止片を内側に押圧して係止穴から取外さなければならないので作業性が悪く、また、ヒューズクリップの両側に係止穴を設けなければならないので、プリント基板の利用に制約を受ける。さらに、ほぼ箱状に形成されているため、保管や輸送に大きな空間を必要とするなど、種々問題があった。
【０００６】
また、上記の予備ヒューズの保持装置は、筒状ヒューズの外周は必ずしも真円又はこれに近い形状でない場合が多く、またその外径にも若干差があるため、鞘状体内に挿入してもその外周面の一部が鞘状体の内周面に接することが多く、このため保持力が不安定である。
【０００７】
本発明は、上記の課題を解決するためになされたもので、ヒューズ交換の際の作業性が良いばかりでなく、プリント基板の利用を制約することがなく、その上保管や輸送に便利なヒューズの保護カバーを備えた火災報知用機器を得ることを目的としたものである。
【０００８】
【課題を解決するための手段】
本発明に係る火災報知用機器は、上面に切欠き部を有し本体ケースの底板上に設けられてプリント基板及び操作板が取付けられるリブと、前記切欠き部に対応して前記プリント基板及び操作板に設けたヒューズ取付部とを備え、一端に前記リブの切欠き部の内側に配設される取付部を有し、該取付部の外側に前記リブの切欠き部に配設される幅狭部が形成され、ほぼコ字状に折曲げられて前記ヒューズ取付部の開口部を開閉する透明の合成樹脂板からなる保護カバーを設けたものである。
【００１１】
【発明の実施の形態】
図１は本発明を実施した火災受信機の扉を開いた状態を示す平面図、図２は一部を省略して示した図１の本体ケースの平面図、図３は図２のＡ−Ａ断面図である。
先ず、上記火災受信機の概要について説明する。図において、１は本体ケース、４０は操作窓４１を有し、蝶番４２により本体ケース１に開閉自在に取付けられた扉である。
【００１２】
本体ケース１において、２は底板、３は底板２上に立設され、プリント基板１５及び操作板１６が取付けられるリブ、５はプリント基板１５を係止するフックである。６は底板２に固定されたトランス、７は同じく予備電源としてのバッテリ、８は底板２に設けた外部配線の取込口、１０は底板２に設けた予備ヒューズの保持部である。なお、２２は表示灯用等のヒューズ２３の取付部である。
【００１３】
［実施の形態１］
次に、実施の形態１であるヒューズの保護カバーについて説明する。本実施の形態においては、本体ケース１のリブ３の一方の側に幅Ｗ1 、深さｔ1 の切欠き部４が設けられている。
そして、各種の回路素子、部品などが搭載されたプリント基板１５がリブ３上に載置されてフック５に係止され、その上に操作板１６が載置されてプリント基板１５と共に本体ケース１にねじ止めされる。
【００１４】
操作板１６のリブ３に設けた切欠き部４に対応した位置には、図４に示すように、上部及び側部が開放された（以下、開口部１８という）電源ヒューズの取付部１７（以下、ヒューズ取付部という）が設けられており、プリント基板１５にはヒューズ取付部１７に対応して電源ヒューズ２１を装着するヒューズホルダ２０が設けられている。なお、図４において、１９はヒューズ取付部１７のほぼ中央部において操作板１６に設けた係止穴である。
【００１５】
２５はヒューズ取付部１７の開口部１８を開閉する保護カバーで、その一例を図６の斜視図及び図７の展開図に示す。この保護カバー２５は、内部が見えるように透明でほぼ長方形の合成樹脂板からなり、２か所で折曲げられて（以下、折曲げ部３１，３２という）取付部２６、垂直部２７及び水平部２８が形成され、取付部２６と垂直部２７の間には両側が切除された幅狭部２９が形成されている。３０は取付部２６の反対側の縁部に設けた係止片である。なお、水平部２８は図６に示すように、垂直部２７に対して直角より浅い角度に折曲げて弾性を付与しておくことが望ましい。
【００１６】
ここで、保護カバー２５の幅Ｗ3 はヒューズ取付部１７の開口部１８の幅Ｗ2 とほぼ等しく、また、幅狭部２９の幅Ｗ4 はリブ３の切欠き部４の幅Ｗ1 より若干狭く形成されており、板厚ｔ2 は切欠き部４の深さｔ1 より若干薄くなっている。
また、垂直部２７の長さＬ3 はヒューズ取付部１７の開口部１８の側面側の高さＬ1 とほぼ等しく、水平部２８の長さＬ4 は開口部１８の上面側の奥行きＬ2 とほぼ等しく形成されている。
【００１７】
上記のような保護カバー２５をヒューズ取付部１７に取付けるには、本体ケース１のリブ３の切欠き部４の内側に保護カバー２５の取付部２６を位置させ、その幅狭部２９を切欠き部４上に位置させる（図２の破線参照）。
この状態でリブ３上にプリント基板１５及び操作板１６を載置し、本体ケース１に固定する。これにより、保護カバー２５は切欠き部４内を前後方向に若干移動できるが、抜け出すことはない。このときの状態を図５に示す。
【００１８】
ヒューズ取付部１７のヒューズホルダ２０に電源ヒューズ２１を装着したときは、保護カバー２５を折曲げ部３１，３２でほぼコ字状に折曲げて、垂直部２７及び水平部２８により開口部１８を閉塞し、水平部２８の先端部に設けた係止片３０を操作板１６に設けた係止穴１９に弾性的に係止させる。これにより、ヒューズ取付部１７の開口部１８は図４に示すように、保護カバー１８により確実に閉塞される。
【００１９】
電源ヒューズ２１を交換する場合は、保護カバー２５の係止片３０を係止穴１９から外せば、保護カバー２５はその弾性により図５の状態になって開口部１８を開放するので、電源ヒューズ２１を容易に交換することができる。
【００２０】
上記のように構成した本実施の形態によれば、ヒューズ取付部１７の開閉は、保護カバー２５に設けた係止片３０を操作板１６の係止穴１９に着脱するだけでよいので、操作がきわめて容易であり、作業性を大幅に向上することができる。また、プリント基板１５にはなんらの加工も行わないので、プリント基板１５の利用度を高めることができる。さらに、保護カバー２５は平板状に積重ねることができるので、保管や輸送に便利である。
【００２１】
［実施の形態２］
次に、本発明の実施の形態２に係る予備ヒューズの保持部につき、図８及び図９により説明する。予備ヒューズの保持部１０（図１参照）は、底板２に立設した１本又は２本以上の筒状体１１からなっている。この筒状体１１は、軸方向に対向して設けた２本のスリット１２ａ，１２ｂによって分割された２つの円弧部１３ａ，１３ｂを有し、この両円弧部１３ａ，１３ｂの内壁の軸方向には、ほぼ１２０°間隔で３本の突条１４ａ，１４ｂ，１４ｃが突設されている。そして、この突条１４ａ〜１４ｃの内端縁を結ぶ円の径Ｄは、ヒューズ３５の導電部３６の外径Ｄ1 より若干小さく形成されている。
【００２２】
上記のような筒状体１１にヒューズ３５を挿入すると、突条１４ａ〜１４ｃの内端縁を結ぶ円の径Ｄがヒューズ３５の導電部３６の外径Ｄ1 より僅かに小さいため、円弧部１３ａ，１３ｂは外方に押し広げられてヒューズ３５は所定の位置まで挿入される。そして、両円弧部１３ａ，１３ｂの復元力により突条１４ａ〜１４ｃがヒューズ３５の外周を押圧し、その位置に保持する。この場合、ヒューズ３５は突条１４ａ〜１４ｃにより３点支持されるため、その外径Ｄ1 に若干差があったり、断面形状が真円でなかったりしても、ヒューズ３５が緩んでだり抜けたりすることがなく、常に安定して保持される。
【００２３】
上記の説明では、スリット１２ａ，１２ｂにより２つの円弧部１３ａ，１３ｂを形成した場合を示したが、３つ以上のスリットにより３つ以上の円弧部を設けてもよい。また、筒状体１１の内壁の軸方向にほぼ１２０°間隔で突条１４ａ〜１４ｃを設けた場合を示したが、突条１４ａ〜１４ｃに代えて突起を設けてもよく（以下、突条１４ａ〜１４ｃ及び突起を合せて突起部という）、その位置も適宜選択することができる。
また、予備ヒューズの取付部１０を本体ケース１の底板２に設けた場合を示したが、側壁に設けてもよく、あるいは扉の内壁に設けてもよい。
【００２４】
【発明の効果】
本発明に係る火災報知用機器は、上面に切欠き部を有し本体ケースの底板上に設けられてプリント基板及び操作板が取付けられるリブと、切欠き部に対応してプリント基板及び操作板に設けたヒューズ取付部とを備え、一端にリブの切欠き部の内側に配設される取付部を有し、この取付部の外側にリブの切欠き部に配設される幅狭部が形成され、ほぼコ字状に折曲げられてヒューズ取付部の開口部を開閉する透明の合成樹脂板からなる保護カバーを設けたので、保護カバーの構造が簡単であり、ヒューズ取付部の開口部の開閉操作が容易なので、作業性を向上することができる。また、プリント基板にはなんらの加工も行わないので、その利用度を高めることができる。さらに、保護カバーは平板状に積重ねることができるので、保管や輸送に便利である。
【図面の簡単な説明】
【図１】本発明を実施した火災受信機の扉を開いた状態を示す平面図である。
【図２】一部を省略して示した図１の本体ケースの平面図である。
【図３】図２のＡ−Ａ断面図である。
【図４】図１のヒューズ取付部の拡大斜視図である。
【図５】図４の保護カバーの作用説明図である。
【図６】保護カバーの斜視図である。
【図７】保護カバーの展開図である。
【図８】予備ヒューズの保持部を形成する筒状体の縦断面図及びその拡大平面図である。
【図９】筒状体に予備ヒューズを装着した状態を示す縦断面図及びその拡大平面図である。
【符号の説明】
１  本体ケース
２  底板
３  リブ
４  切欠き部
１０  予備ヒューズの保持部
１１  筒状体
１２ａ，１２ｂ  スリット
１３ａ，１３ｂ  円弧部
１４ａ，１４ｂ，１４ｃ  突条（突起部）
１５  プリント基板
１６  操作板
１７  ヒューズ取付部
１８  開口部
１９  係止穴
２１  電源ヒューズ
２５  保護カバー
２６  取付部
２９  幅狭部
３０  係止片
【図１】
0004055245.tif 000002
【図２】
0004055245.tif 000003
【図３】
0004055245.tif 000004
【図４】
0004055245.tif 000005
【図５】
0004055245.tif 000006
【図６】
0004055245.tif 000007
【図７】
0004055245.tif 000008
【図８】
0004055245.tif 000009
【図９】
0004055245.tif 000010